(57)【要約】【課題】簡便な方法によってスポット中の成分の分解を生じるおそれもなく、目的とするスポットを効率よく取得することができるような薄層クロマトグラフ分取方法を提供する。【解決手段】薄層クロマトグラフ板からスポットを分取するための分取方法であって、薄層クロマトグラフ板上のサンプル取得対象スポット周辺の固体分を除去する工程２ノズルをスポット上に密着させ、ノズルを通じてスポット上に溶媒を流出する工程３及びスポット成分が溶解した溶媒を吸引する工程５を有することを特徴とする薄層クロマトグラフ分取方法。【選択図】図１
2020091173.tif 000002
【特許請求の範囲】
【請求項１】
薄層クロマトグラフ板からスポットを分取するための分取方法であって、
薄層クロマトグラフ板において、担体層中での溶媒の拡散を防止するための前処理を行う工程１、
前記工程１によって生じた薄層クロマトグラフ板上のサンプル取得対象スポット周辺の固体分を除去する工程２
ノズルを通じて薄層クロマトグラフ板のスポット上に溶媒を流出する工程３及び
スポット成分が溶解した溶媒を吸引する工程４
を有することを特徴とする薄層クロマトグラフ分取方法。
【請求項２】
工程１は、分取するスポット周縁部の担体を除去して溝を形成する工程である請求項1記載の薄層クロマトグラフ分取方法。
【請求項３】
工程１の溝の形成は、溝形成手段を担体上に押し当てて回転させることによって行うものである請求項２記載の薄層クロマトグラフ分取方法。
【請求項４】
請求項１、２又は３の薄層クロマトグラフ分取方法を実施するための分取装置であって、
工程１を行うための前処理手段（Ｆ−１）、スポット周辺の固体分を除去する固形分除去手段（Ｆ−３）、スポットに溶媒の流出・吸引を行うためのノズル（Ｆ−２）、
を備えることを特徴とする薄層クロマトグラフ用分取装置。
【請求項５】
前処理手段は、スポット周縁部の担体を除去して溝を形成するための溝形成手段である請求項４記載の薄層クロマトグラフ用分取装置。
【発明の詳細な説明】
【技術分野】
【０００１】
本発明は、薄層クロマトグラフ分取方法及び薄層クロマトグラフ用分取装置に関するものである。
【背景技術】
【０００２】
薄層クロマトグラフは、薄層状に形成させた担体にサンプルをアプライし、有機溶媒や水が毛管現象により移動する際、化合物ごとに移動速度が異なることを利用した分析方法である。このような分析方法は、簡便であること、分析に使用するサンプル量が微量でよいこと等の利点があり、合成化学分野において一般的に使用されている分析方法である。しかし、主に分析において使用されることはあっても、分取のために使用されることはほとんどない。
【０００３】
このような薄層クロマトグラフによって分離された成分を分取することは容易ではない。これは、分離された成分がシリカゲル等の担体に存在しており、担体から目的成分のみを得ることが困難であるからである。従来は、担体の目的成分が吸着した部分のみをこそげ落として、これを溶媒と混合し濾過することで目的成分を分取すること等も行われていた。
【０００４】
しかしながら、このような方法は手間がかかるし、目的物が極微量分取されるのみであることから、労力に見合っただけの成果が得られないことも多い。よって、薄層クロマトグラフの結果を参照しつつ、分取用のクロマトグラフを実施して、分取・分析を行うことが一般的な方法であった。
【０００５】
その一方では、薄層クロマトグラフによって分離された成分を簡便に分取したり分析したりできれば、合成や分取における労力が低減され、研究開発の合理化にも寄与するものである。更に、分取したスポットを直接他の分析手段（例えば、質量分析等）に供することができれば、薄層クロマトグラフによってスポットに対応した物質を知ることができるという利点もある。
【０００６】
特許文献１においては、薄層クロマトグラフ上のスポットを取得するための装置が開示されている。しかし、このような方法によって分取を行う場合、薄層クロマトグラフ上の担体上に溶媒が拡散してしまい、目的とするスポットの成分のみを選択的に収率よく取得することは困難である。よって、上述した目的を充分に達成することはできない。
【０００７】
特許文献２においては、薄層クロマトグラフ板上に熱風を当てて測定試料を脱離させて、これをイオン化することで質量分析に供することが開示されている。しかし、これは揮発性の高い化合物に対してしか適用できない手法であり、化合物によっては加熱によって分解するおそれもある。更に、分取を行うことができないため、質量分析以外の分析方法に供することができない、という問題もある。
【０００８】
特許文献３においては、薄層クロマトグラフ基板からＰＶＤＦ膜へ転写を行い、転写されたＰＶＤＦ膜を利用して二次元範囲をイメージング質量分析装置により測定し、多数の測定点毎のマススペクトルを取得する方法が開示されている。しかし、このような方法は簡便な分析方法と言えるものではなく、通常の合成実験における反応結果の確認等の方法において使用できるようなものではない。
【０００９】
本出願人は、特許文献４において、上述した問題を改善する手法として、分取するスポット周縁部の担体を除去して溝を形成し、この溝にパッキング部を先端に有するノズルを挿入した後、ノズルより溶媒を流出し、次いでスポット成分が溶解した溶媒を吸引することで、サンプルを取得する方法を開示した。しかし、このような方法を行うと、溝を形成する際に、削り取られたシリカ粉末がスポット近傍に残存することになる。
【先行技術文献】
【特許文献】
【００１０】
【特許文献１】欧州特許出願公開第００７５８６７号明細書
【特許文献２】特開２０１２−１７７６０５号公報
【特許文献３】特開２０１０−２７１１５７号公報
【特許文献４】特開２０１８−９８４２号公報
【発明の概要】
【発明が解決しようとする課題】
【００１１】
本発明は上記に鑑み、簡便な方法によってスポット中の成分の分解を生じるおそれもなく、目的とするスポットを効率よく取得することができるような薄層クロマトグラフ上のスポット成分の分取方法を提供することを目的とするものである。
【課題を解決するための手段】
【００１２】
本発明は、
薄層クロマトグラフ板からスポットを分取するための分取方法であって、
薄層クロマトグラフ板において、担体層中での溶媒の拡散を防止するための前処理を行う工程１、
前記工程１によって生じた薄層クロマトグラフ板上のサンプル取得対象スポット周辺の固体分を除去する工程２
ノズルを通じて薄層クロマトグラフ板のスポット上に溶媒を流出する工程３及び
スポット成分が溶解した溶媒を吸引する工程４
を有することを特徴とする薄層クロマトグラフ分取方法である。
【００１３】
上記工程１は、分取するスポット周縁部の担体を除去して溝を形成する工程であることが好ましい。
上記工程１の溝の形成は、溝形成手段を担体上に押し当てて回転させることによって行うものであることが好ましい。
【００１４】
本発明は、上記薄層クロマトグラフ分取方法を実施するための分取装置であって、
工程１を行うための前処理手段（Ｆ−１）、スポット周辺の固体分を除去する固形分除去手段（Ｆ−３）、スポットに溶媒の流出・吸引を行うためのノズル（Ｆ−２）、
を備えることを特徴とする薄層クロマトグラフ用分取装置でもある。
上記前処理手段は、スポット周縁部の担体を除去して溝を形成するための溝形成手段であることが好ましい。
【発明の効果】
【００１５】
本発明の薄層クロマトグラフ分取方法によって、サンプルが溶解した溶液を吸引する際に発生する配管汚れ、詰まりが防止できる点で好ましい。
【図面の簡単な説明】
【００１６】
【図１】本発明の薄層クロマトグラフ分取方法の第１の態様の手順を示す模式図である。
【図２】本発明の薄層クロマトグラフ分取方法の第２の態様の手順を示す模式図である。
【図３】溝形成手段又はブレードの外周部に吸引手段を有する状態を示す模式図である。
【図４】本発明の薄層クロマトグラフ用分取装置の第１の態様の一例を示す模式図である。
【図５】本発明の薄層クロマトグラフ用分取装置の第２の態様の一例を示す模式図である。
【図６】本発明の薄層クロマトグラフ用分取装置の一例を示す模式図である。
【図７】本発明の採取手段（Ｆ）の一例を示す模式図である。
【図８】本発明の薄層クロマトグラフ用分取装置の画像表示手段（Ｄ）の一例を示す模式図である。
【図９】本発明の薄層クロマトグラフ用分取装置の一例を示す模式図である。
【発明を実施するための形態】
【００１７】
以下に、本発明を詳細に説明する。
第１の本発明は薄層クロマトグラフ用分取方法である。すなわち、薄層クロマトグラフによって分離されたスポットを構成する成分を取得するための分取方法である。当該方法において、ノズルを通じてスポット上に溶媒を流出する工程及びスポット成分が溶解した溶媒を吸引する工程に先立って、前処理工程を行い、前処理後に固体分の除去を行うことに特徴を有する。
【００１８】
薄層クロマトグラフ板は、担体粒子を固めて基材シート上に担体層として形成したものである。このため、担体中には多くの隙間が存在し、当該隙間を通じて溶媒が薄層クロマトグラフ板状に拡散してしまう。このような拡散が生じると、溶媒をうまく吸引できなくなる場合がある。
【００１９】
このため、前処理工程として、溶媒が担体中に拡散することを防止するための処理を行う。しかしながら、当該前処理を施すことによって、担体粉体がスポット近傍に存在する状態になることがある。
【００２０】
一方、このような前処理においては、上述した問題を解決するために、担体の一部が除去されることになり、担体粉体がクロマトグラフ板表面に付着した状態になる。担体粉体がクロマトグラフ板表面に存在する状態で、溶媒の流出・吸引を行うと、ノズル中に担体粉体が吸い込まれ、配管詰まり等による装置の不具合の原因となる場合がある。更に、粉体によって、ノズル先端部と薄層クトマログラフ板との間に隙間を生じ、吸引が効率よく行えない場合がある。
【００２１】
本発明においては、このような問題を解消するため、前処理後にスポット周辺の固形分を除去する工程を備えることに特徴を有するものである。
【００２２】
上記前処理としては、例えば、分取するスポット周縁部の担体を除去して溝を形成する工程や、先端に筒状のブレード（刃）を有するノズルを薄層クロマトグラフ板に押し当てる方法等がある。これらを図１、図２に示す。なお、本発明において行う前処理は、以下の図１、図２に示すものに限定されるものではない。
【００２３】
図１には、工程１の前処理が分取するスポット周縁部の担体を除去して溝を形成する工程である場合の本発明の模式図を示した。
図１の（Ａ）は、サンプルの展開を終えた薄層クロマトグラフ板を示す。上図は薄層クロマトグラフ板を上から見た模式図であり、下図はスポット位置の断面図を示す模式図である。薄層クロマトグラフ板は支持板２上に担体１が形成された構成を有しており、薄層クロマトグラフを行った後のスポット３は、分離された化合物をそのスポット中に含むものである。本発明において取得するサンプルは、担体１中に存在する。
【００２４】
図１に示す態様において前処理工程１は、図１（Ｂ）に示したように、サンプル取得しようとするスポットの周縁部の担体を除去して溝４を形成する工程である。担体は、シリカなどの微細な粉体によって形成された層であるから、ブレード、針などによって表面を削ることによって容易に除去することができる。このような担体の除去は、支持板２が表面に露出するまで行うことが好ましい。除去を行っても、削除部において担体１が残存していると、その残存部を通じて溶媒が外に漏れてしまい、本発明の目的を十分に達成することができないおそれがあるためである。
【００２５】
本発明の工程２は、上記工程１において担体を除去した際に出る固形分を除去する工程である。主たる固形分は、薄層クロマトグラフ板を削った時に出る微細な粉体等である。
当該工程において残渣を除去する目的は、工程１において溝を形成した際に微細な粉体等がクロマトグラフ板に残ることによって起こる上述した問題を解消することができる。
【００２６】
図１に示した態様における工程３は、図１（Ｃ）に示したように、工程３によって形成された溝４にパッキング部６を先端に有するノズル５を挿入する工程である。
ここで使用するノズルは、中空部を液体が通過することができるチューブ形状を有するものであり、その先端に、パッキング部６を有するものである。パッキング部は、ゴム等弾性体等のように密着性が高い素材からなるものである。上記工程１によって形成された溝にパッキング部を挿入することによって、サンプルが含まれる担体のスポット部３と、それ以外の担体の部位とが遮断された状態となり、液体が相互に行き来することができなくなる。
【００２７】
このような状態で工程４によってノズルから溶媒を流出させると、流出した溶媒はスポット部３にしか供与されず、担体のそれ以外の部位に拡散することがない。このため、標的スポット３以外の成分が混入することもないし、次いで行う工程５においても、効率よく液体を吸引することができ、収率よく目的とするサンプルを回収することができる。
【００２８】
図２には、工程１が先端に筒状のブレードを有するノズルを薄層クロマトグラフ板に押し当てる方法である場合の本発明の模式図を示した。
【００２９】
図２の（Ａ）は、サンプルの展開を終えた薄層クロマトグラフ板を示す。図２の方法において、工程１は、筒状のブレードを有するノズルを薄層クロマトグラフ板に押し当てる工程である（（Ｅ）→（Ｆ））。当該工程においては、図２の（Ｆ）に示したようにブレードをその先端が支持板に接する状態となるように押し当て、これによって、ノズル内部と外部との間で液体が流通することを防ぐものであることが好ましい。このような工程を行うことによって固形分（削り残渣）が発生し、これがブレード周辺に存在した状態となる（図２（Ｆ））。
【００３０】
本発明においては、工程２によって、固形分を除去し、その後、筒状のブレード（刃）を有するノズルによって、溶媒の流出・吸引を行うものである。これによって、上述した図１に示した方法と同様に、固形分によって生じる各種の問題を改善することができる。
【００３１】
このような状態で工程４によってノズルから溶媒を流出させると、流出した溶媒はスポット部３にしか供与されず、担体のそれ以外の部位に拡散することがない。このため、標的スポット３以外の成分が混入することもないし、次いで行う工程５においても、効率よく液体を吸引することができ、収率よく目的とするサンプルを回収することができる。
【００３２】
以下に、より具体的に各工程を説明する。
【００３３】
（第１の態様における工程１）
工程１が分取するスポット周縁部の担体を除去して溝４を形成する工程であるある場合について、具体的に説明する。このような工程を行う方法は特に限定されるものではなく、スポット形状をしたブレードを押し付ける方法、針や刃などの鋭利な削出材によって表面をなぞることによって担体を削る方法等を挙げることができる。
【００３４】
上記溝の形成は、ブレードや針等の溝形成手段を担体上に押し当てて回転させることによって行うことが好ましい。このような方法で行うことで、均一な溝を安定して形成させることができるため、以下の工程においてトラブルを生じることなくサンプルの取得を行うことができる。
【００３５】
形成させる溝の形状や大きさも特に限定されるものではなく、目的に応じて任意の大きさや形状とすることができる。ただし、以降で行う工程において、形成された溝のパッキング部を挿入することとなるから、大きさや形状を使用するノズルのパッキング部の形状と略同一のものとする必要がある。
【００３６】
（第２の態様における工程１）
工程１が先端に筒状のブレードを有するノズルを薄層クロマトグラフ板に押し当てる方法である場合について、具体的に説明する。このような工程を行う方法は特に限定されるものではなく、スポット形状をしたブレードを押し付ける方法によるものである。第１の態様の場合と相違するのは、ノズル先端にブレードを備えたものを使用し、ブレードのエッジ部によって担体のスポット部と外部とを隔離する点である。
【００３７】
当該態様においては、ブレードは中空形状のものとして、ブレード内を溶媒が通過できるものであることが必要となる。このため、ブレード素材は、有機溶媒による腐食を生じにくい素材であることが好ましい。
【００３８】
当該態様においては、ブレードがスポット内とスポット外との溶媒の流通を防ぐ隔壁としても作用するものである。したがって、このような作用を好適に生じるものとするよう、ブレードをクロマトグラフィ板に押し当てる際の圧力を制御するものであってもよい。
【００３９】
（工程２）
工程２は、工程１によって生じた薄層クロマトグラフ板上のサンプル取得対象スポット周辺の固体分を除去する工程である。
このような残渣を除去する方法としては、特に限定されるものではなく、例えば粉塵等を吸引する方法、ガス噴出機構によって気体等を作用させ吹き飛ばす方法を挙げることができる。作業環境が汚れることを防ぐという観点から、吸引手段によって行うことが好ましい。
【００４０】
吸引手段は、例えば、図３に示したように、ブレード（Ｆ−５）周辺に空気吸引部（Ｆ−４）を備えたものとすることができる。図３においては、吸引部は、ブレードの周辺の空間から空気を吸引するものである。
【００４１】
第１の態様に図３に示した吸引手段を使用する場合、ブレード（Ｆ−５）は、ブレード部のみで上下するものとして、ブレード（Ｆ−５）によって溝を形成した後、ブレードを上昇させた後、吸引部を作動させるものであってもよい。
【００４２】
第２の態様に図３に示した吸引手段を使用する場合、ブレード（Ｆ−５）をクロマトグラフ板に密着させた状態で周縁部を吸引するものであることが好ましい。これによって効率よく固形分を除去することができる。
【００４３】
（工程３）
工程３は、ノズルを通じて薄層クロマトグラフ板のスポット上に溶媒を流出する工程である。
上述した第１の態様においては、上述した工程１によって形成された溝にパッキング部を先端に有するノズルを挿入し、その後、溶媒を流出させる。第１の態様においては、この工程３において、パッキング部を工程１によって形成された溝に挿入し密着させることが好ましい。
【００４４】
ここで使用するノズル５は、スポットを構成する化合物を溶出する際に溶媒を供給したり、サンプルが溶解した溶液を吸引したりするための経路としての機能を有するものである。このようなノズルとしては、公知の任意の素材のチューブとすることができる。第１の態様においては、その先端部にパッキング部を有することが必要である。第２の態様においては、その先端部にブレードを有することが必要である。
【００４５】
上記パッキング部は、弾性を有することによって、上記工程１によって形成された溝及び基材層に隙間なく密着し、これによって液体がノズルの内部から外部へと流出することを防止できる素材からなることが好ましい。具体的には各種のゴム素材からなるものを使用することができる。なお、先端のみを弾性体とする場合のみではなく、ノズル全体がパッキング部として作用するような弾性素材からなるノズルを使用してもよい。
【００４６】
更に、上記ノズル５は、溶媒の供与、吸引を行う経路としても機能するものであることから、これらの目的のためのポンプや吸引手段等と連結されていることが望ましい。このような溶媒の供与、吸引の手段としては特に限定されず、公知の任意のものを使用することができる。
【００４７】
上記第２の態様においては、工程３は、先端に筒状のブレードを有するノズルのノズル部に溶媒を流出させ、ノズルの先端部に溶媒を供与するものである。上記ノズル５は、溶媒の供与、吸引を行う経路としても機能するものであることから、これらの目的のためのポンプや吸引手段等と連結されていることが望ましい。このような溶媒の供与、吸引の手段としては特に限定されず、公知の任意のものを使用することができる。
【００４８】
工程３において使用する溶媒は、取得しようとするサンプルを溶解できるものであれば特に限定されず、目的に応じて選択することができる。また、供与する溶媒量は１〜３０μｌ程度の量で充分である。
【００４９】
（工程４）
工程４は、最後に、上述した工程３によってサンプルが溶解した溶液を吸引することによって、目的とするサンプルを取得する工程である。これによって、薄層クロマトグラフによって分離されたサンプルを回収し、利用することができる。吸引する方法は特に限定されず、ポンプによって減圧することで吸引する方法等を挙げることができる。
【００５０】
このようにして分離されたサンプルは、そのまま分析ユニットに供与するものであってもよい。すなわち、このようにして得られたサンプルを分析することで、化合物の構造が明らかになれば、微量のサンプルを用いた薄層クロマトグラフによって、存在する化合物が明らかとなり、さらにそれをスポット位置と関連付けることができる。すると、その後の分離作業において必要とされるサンプルの留出位置が明らかになることから、以後の作業を効率よく行うことができる。
【００５１】
上記分析ユニットとしては特に限定されず、例えば、質量分析、ＮＭＲ，示差屈折（ＲＩ）、蒸発型光散乱検出器（ＥＬＳＤ）、紫外線吸光分析、可視光吸光分析など、溶液状態で測定できる測定方法であれば限定されない。また、直接分析ユニットに導入するのではなく、一旦、単離したのち、必要な操作を加えて分析手段に供給するものであってもよい。
【００５２】
第２の本発明は、上述した本発明の薄層クロマトグラフ用分取方法に使用するための分取装置である。
すなわち、上述したような薄層クロマトグラフ用分取方法をすべて手作業で行うことは困難である。このため、本発明者はこれらの作業を補助するための分取装置を提供するものである。まず、第１の態様について、図４を参照しつつ、詳細に説明する。
【００５３】
本発明の薄層クロマトグラフ用分取装置は、上述した薄層クロマトグラフ用分取方法における工程１を行うための前処理手段、工程３〜４を行うためのノズル、及び工程２を行うための残渣除去手段を備えた装置である。
【００５４】
このような装置の例の模式図を図４、５に示した。なお、本発明の薄層クロマトグラフ用分取装置は、図４，５に示した構成を有するものに限定されるものではない。
図４は、上記第１の態様に対応した薄層クロマトグラフ用分取装置の模式図である。
図４は、それぞれ上下に移動する溝形成手段（Ｆ−１）とノズル（Ｆ−２）とを備え、これらの溝形成手段（Ｆ−１）とノズル（Ｆ−２）をサンプル載置台上に設置した薄層クロマトグラフ板１１上に降下させて、所定の作業を行うものである。更に、（Ｆ−３）として、残渣除去手段を有し、これによって固形分を除去する。
【００５５】
図４に示した態様は、溝形成手段（Ｆ−１）とノズル（Ｆ−２）とがそれぞれ別のユニットとして設けられ、各ステップの実施に際して、これらがそれぞれ上下することによって目的を達成するものであるが、単一のユニット中にこれらの両方を設け、溝形成手段（Ｆ−１）によって溝を形成した後、溝形成手段がユニット中に格納され、その後、ノズル（Ｆ−２）を表出させて、パッキング部６を溝４に密着させるものであってもよい。また、図４は溝形成手段（Ｆ−１）とノズル（Ｆ−２）を上下させるものとして記載したが、薄層クロマトグラフ板１１を上下させることによって同一の目的を達成してもよい。
【００５６】
上記溝形成手段（Ｆ−１）は、ブレードや針として、これらを担体に押し付けて、担体をこそげ取ることができるものを使用することができる。その形状も、形成しようとする溝の形状と同一形状のものであってもよいし、小さなブレードや針である溝形成手段を担体上に押し当てて回転させることによって、溝を形成するものであってもよい。溝形成手段を担体上に押し当てて回転させる方法による溝形成は、失敗が少なく、ノズル（Ｆ−２）のパッキング部６が容易に挿入できるような均一性の高い溝を形成することができる点で好ましい。
【００５７】
更に、上記ノズル（Ｆ−２）は、パッキング部６に加えて、溶媒供給手段８及びポンプ等の吸引手段９を有するものである。溶媒供給手段８は、溶媒タンクから所定量の溶媒を計測して、ノズル（Ｆ−２）に供給することができるものであれば特に限定されず、公知の任意のものを使用することができる。更に、溶媒吸引手段９は、微量のサンプルを効率よく吸引することができるような公知の任意の手段を使用することができる。
【００５８】
また、本発明の薄層クロマトグラフ用分取装置は、溝形成手段５及びノズル７として複数のものを準備し、目的とするスポットのサイズに応じて、これらを交換して作業を行うものであってもよい。さらに、薄層クロマトグラフの２以上のスポットに対して、分取を行う場合、同一のノズル（Ｆ−２）を繰り返し使用すると、最初に分取を行ったサンプルが残存して、２つめの分取サンプル中に混入してしまうおそれがある。この場合、サンプルごとにノズル（Ｆ−２）を交換することで上述した分取を問題なく行うことができる。
【００５９】
更に、上記ノズル（Ｆ−２）は、洗浄手段を備えたものであってもよい。すなわち、一度、ノズル（Ｆ−２）を使用した後、そのまま次の分取を行う場合、最初の分取を行った後に、ノズル（Ｆ−２）を洗浄すれば、続けて二度目以降の分取を行える点で好ましい。
【００６０】
本発明の分取装置は、ノズル（Ｆ−２）に連結して分析ユニットを備えた装置であってもよい。これによって、分取されたサンプルが自動的に分析され、スポットを構成する化合物を同定することができる。これらを自動的に行えると、薄層クロマトグラフのスポット選択を行うのみで、自動的に当該化合物についての分析結果を得ることができる装置となる。更に分取によるサンプルの損失を生じることなく、分析を行うことができる。
本発明の上記（Ｆ−３）としては図３に示したような装置を使用することができる。
【００６１】
図５に示した態様は、上記第２の態様に対応したものである。すなわち、更にノズル（Ｆ―２）、ノズル先端部に設置されたブレード（Ｆ−５）、残渣除去手段（Ｆ−３）を備えるものである。図５に示した態様においても基本的に図４と同様の装置とすることができる。
【００６２】
本発明の分取装置は、薄層クロマトグラフ板のスポット位置を画像表示し、このような表示された画像に基づいてスポットを作業者が指定し、作業者が指定したスポットに対して、上述したようなスポット成分の取得を行うことができるような装置であってもよい。
このような分取装置とすることで、分取するサンプルの指定を画像上で行えば、その後の操作をほぼすべて自動で行うことができるため、極めて簡便に上述した本発明の目的を達成することができる。
【００６３】
このような好適な態様は、より具体的には、
薄層クロマトグラフ板載置手段（Ａ）、
スポット検出光照射手段（Ｂ）、
薄層クロマトグラフ板撮影手段（Ｃ）、
前記薄層クロマトグラフ板撮影手段（Ｃ）によって撮影された画像を表示するための画像表示手段（Ｄ）、及び、
画像表示手段（Ｄ）に表示された画像中で作業者がスポット位置を指定するスポット指定手段（Ｅ）、
スポット指定手段（Ｅ）によって作業者が指定した位置のスポットを採取するための採取手段（Ｆ）
を備えるものである。そして、この採取手段（Ｆ）として、上述した第２の本発明を採用するものである。
以下このような（Ａ）〜（Ｆ）についてそれぞれ図６〜９を参照しつつ詳述する。
【００６４】
上記好適な態様における薄層クロマトグラフ板載置手段（Ａ）は、薄層クロマトグラフ板を装置中に載置するための台である。本発明においては、薄層クロマトグラフを行った後の薄層板よりスポットを構成する成分を取得するものであることから、このような処理を行うために薄層クロマトグラフ板を装置内の所定の位置に載置することが必要となる。薄層クロマトグラフ板載置手段（Ａ）は、このための載置手段である。本発明においては、特定位置に載置された薄層クロマトグラフ板に対して、以下に示す各要素によって、分取のための作業を行うものである。
【００６５】
本発明の薄層クロマトグラフ用分取装置は、このように載置された薄層クロマトグラフ板に対し、スポット検出光照射手段（Ｂ）によって検出光を照射し、薄層クロマトグラフ板撮影手段（Ｃ）による薄層クロマトグラフ板の撮影を行うものである。
【００６６】
上記スポット検出光照射手段（Ｂ）は、薄層クロマトグラフ板に対して、検出光を照射しスポットを可視化するための手段である。薄層クロマトグラフ板状のスポットは、無色であることが多いため、そのままの状態では視覚的に認識することができない。また、着色のスポットにおいても、以下で詳述する画像表示手段（Ｄ）上に鮮明に表示するには、検出光を照射する必要がある。このため、紫外線、可視光等の検出光を照射してスポットを可視化するためのものである。2種以上の検出光を照射する手段として、必要に応じてこれらを切り替えて使用するものであってもよい。
【００６７】
上記薄層クロマトグラフ板撮影手段（Ｃ）は、スポット検出光照射手段（Ｂ）によってスポットが可視化された薄層クロマトグラフ板を画像化するための撮影手段である。上述したように、本発明においては、作業者が直接スポット検出光に曝されないことが好ましい。本発明においては、薄層クロマトグラフ板撮影手段（Ｃ）によって薄層クロマトグラフ板を撮影し、これを以下に示す画像表示手段（Ｄ）に表示することによって、観察するものである。これによって、作業者は照射された検出光に曝されることなく、薄層クロマトグラフ板を観察することができる。
【００６８】
当該薄層クロマトグラフ板撮影手段（Ｃ）は、動画を撮影するためのビデオカメラ、静止画像を撮影するためのカメラ等とすることができるが、ビデオカメラとすることがより好ましい。ここで使用するビデオカメラ、カメラ類は特に限定されず、通常のものを使用することができる。
【００６９】
上記画像表示手段（Ｄ）は、上記薄層クロマトグラフ板撮影手段（Ｃ）によって撮影された画像を表示するための手段である。上記薄層クロマトグラフ板撮影手段（Ｃ）によって撮影された動画、静止画像を上記画像表示手段（Ｄ）に表示し、表示された画面上で、取得するスポットを指定するものである。これによって、簡便な手法によってスポットを指定でき、作業者の負担を低減することができる。
上記画像表示手段（Ｄ）は、液晶ディスプレイ等の公知の任意の画像表示手段とすることができる。
【００７０】
上記スポット指定手段（Ｅ）は、上記画像表示手段（Ｄ）に表示された薄層クロマトグラフ板上のスポットのうち、採取するべきスポットを指定するための手段である。すなわち、画像表示手段（Ｄ）のうち、どの部分に対して、採取手段（Ｆ）を作用させるかを指定するための手段である。
【００７１】
上記スポット指定手段（Ｅ）は、特に限定されず、例えば、テンキー、マウス等の手段でカーソルを移動させて位置を指定する方法、画像表示手段（Ｄ）をタッチパネルとして、画像表示手段（Ｄ）上に触れて直接指定する方法等を挙げることができる。
【００７２】
上記採取手段（Ｆ）は、上述したスポット指定手段（Ｅ）によって作業者が指定したスポット位置中のスポット成分を採取するための手段である。この採取手段（Ｆ）は、上述した本発明を使用するものであり、これによって、効率よくスポットを構成する成分を取得することができる。更に、採取手段（Ｆ）は、薄層クロマトグラフ板載置手段（Ａ）上に載置された薄層クロマトグラフ板上の任意の位置へと移動可能なものである。
【００７３】
本発明の薄層クロマトグラフ用分取装置は、更に、分取されたスポットの成分を分析するための分析手段（Ｇ）を備えるものであってもよい。薄層クロマトグラフ板に基づいて定性分析を行うことができれば、その後で分取用のクロマトグラフを実施する際、事前にどのスポットが分取対象物として重要であるかが明らかになる。このため、目的とするスポットを高精度かつ効率的に得るためのクロマトグラフ条件（例えば、使用する溶媒種、グラジュエントの手法等）を、分取用クロマトグラフの実施前に予測することができる。このため、分取クロマトグラフ自体の効率化にも役立つ。
【００７４】
更に、分析手段（Ｇ）による分析の実施によって、１スポット中に複数種の化合物が混在していることが明らかになる場合もある。薄層クロマトグラフを行った時点で、このような事実が明らかになれば、分取方法の再検討（例えば、クロマトグラフの条件の変更等）を行うことによって、以後の実験を更に効率的に行うことができる、という利点もある。
【００７５】
上記分析手段（Ｇ）としては特に限定されず、例えば、質量分析、ＮＭＲ，示差屈折（ＲＩ）、蒸発型光散乱検出器（ＥＬＳＤ）、紫外線吸光分析、可視光吸光分析等を挙げることができる。また、これらの複数種の分析手段を備えるものとして、分析対象化合物の種類に応じて好ましい分析手段を選択して使用するものであってもよい。なかでも、質量分析によって行うことが特に好ましい。
【００７６】
以下、図面を参照しつつ、上述した態様による薄層クロマトグラフ用分取装置について更に詳細に説明する。図６〜９は態様の一例を示すものであり、本発明は図６〜９に記載したものに限定されない。
【００７７】
図６は、本発明の薄層クロマトグラフ用分取装置のうち、スポット検出光照射手段（Ｂ）、薄層クロマトグラフ板撮影手段（Ｃ）、採取手段（Ｆ）の構成の一例を示した図である。
【００７８】
図６において、薄層クロマトグラフ板１は、展開を終えたものであり、第１スポット３−１及び第２スポット３−２が存在している。このような薄層クロマト板１は、装置中の薄層クロマトグラフ板載置手段（Ａ）（図示せず）上に載置されている。
【００７９】
このような薄層クロマト板１１にスポット検出光照射手段（Ｂ）によって光が照射され、スポット３−１、スポット３−２が視覚的に認識できる状態のものとなる。薄層クロマトグラフ板撮影手段（Ｃ）は、このような薄層クロマト板１を撮影する手段である。
【００８０】
本発明の薄層クロマトグラフ用分取装置は、更に、採取手段（Ｆ）を備えるものである。これによって、指定したスポット２−１中のスポット成分を採取するものである。図６においては採取手段（Ｆ）として、ノズル（Ｆ−２）を示した。もちろん、本発明においては、採取手段（Ｆ）として、上記溝形成手段（Ｆ−１）をも備えるものである。そして、この溝形成手段（Ｆ−１）及びノズル（Ｆ−２）は、それぞれ移動可能なものであり、指示に従って薄層クロマトグラフ板の指定した位置へと移動することができる。
【００８１】
更に、図７においては、画像表示手段（Ｄ）及びスポット指定手段（Ｅ）の態様の一例を示した。
画像表示手段（Ｄ）においては、薄層クロマトグラフ板撮影手段（Ｃ）によって撮影された薄層クロマトグラフ板１の画像が表示される。これによって作業者は、薄層クロマトグラフ板１上のスポット位置を目視で確認することができる。
【００８２】
図８に示した態様において、スポット指定手段（Ｅ）は、ノズル（Ｆ−２）位置を表示するカーソル（Ｅ−２）及びカーソル位置移動手段（Ｅ−１）を備えている。
そして、カーソル位置移動手段（Ｅ−１）によってカーソル（Ｅ−２）のＸ軸−Ｙ軸方向での位置を指定し、これによって、採取手段（Ｆ）によって取得すべき位置を決定する。そして、位置を決定すると、採取手段（Ｆ）が稼働して、上述した構成によって薄層クロマトグラフ板１１上のスポットを構成するスポット成分が取得される。
【００８３】
このような操作を薄層クロマトグラフ板１１上の複数のスポットに対して繰り返して行うことで、複数のスポットについてのスポットを取得することもできる。
【００８４】
図９には、本発明の薄層クロマトグラフ用分取装置の全体構成の一例を示した。作業者は、展開済みの薄層クロマトグラフ板１を、本発明の薄層クロマトグラフ用分取装置１０中の所定の位置に設置する。そして、上述したような手法によって所定のスポット成分を取得し、得られたスポット成分を分析手段（Ｇ）及び／又は分取手段（Ｈ）に送る。
【産業上の利用可能性】
【００８５】
本発明の薄層クロマトグラフ用分取方法を使用することで、薄層クロマトグラフのスポットを構成する化合物を分取し、これを分析することができる。これによって、化学合成の工程を簡便化することができ、研究の効率を向上させることができる。
【符号の説明】
【００８６】
１  担体
２  支持板
３  スポット
４  溝
５  ノズル
６  パッキング部
８  溶媒供給手段
９  吸引手段
１０  薄層クロマトグラフ用分取装置
１１  薄層クロマトグラフ板
（Ｂ）  スポット検出光照射手段
（Ｃ）  薄層クロマトグラフ薄層板撮影手段
（Ｄ）  表示手段
（Ｅ）  スポット指示手段
（Ｅ−１）  カーソル位置移動手段
（Ｅ−２）  カーソル
（Ｆ）  採取手段
（Ｆ−１）  溝形成手段
（Ｆ−２）  ノズル
（Ｆ−３）  除去手段
（Ｆ−４）  ブレード
（Ｆ−５）  吸引手段
（Ｇ）  分析手段
（Ｈ）  分取手段
【図１】
2020091173.tif 000003
【図２】
2020091173.tif 000004
【図３】
2020091173.tif 000005
【図４】
2020091173.tif 000006
【図５】
2020091173.tif 000007
【図６】
2020091173.tif 000008
【図７】
2020091173.tif 000009
【図８】
2020091173.tif 000010
【図９】
2020091173.tif 000011